【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
１つ以上のトランシーバと全地球的航法衛星システム（ＧＮＳＳ）受信機の共存を管理するための方法であって、
動作イベントに対応して動作する前記１つ以上のトランシーバおよび第１の無線アクセス技術（ＲＡＴ）に従って動作する前記１つ以上のトランシーバのうちの第１のトランシーバに関連付けられた１つ以上のパラメータを取得することと、ここにおいて、前記第１のトランシーバは、１つ以上のＲＡＴに従って動作することができる、
前記１つ以上のパラメータおよび干渉データ構造に基づいて、前記第１のＲＡＴに従う前記第１のトランシーバの前記動作が、前記ＧＮＳＳ受信機の動作に対する影響に関連付けられ、および前記影響が所定の閾値を超えると決定することと、ここにおいて、前記干渉データ構造は、前記ＧＮＳＳ受信機がＧＮＳＳ信号を受信する１つ以上のＧＮＳＳ宇宙飛行体（ＳＶ）のＧＮＳＳ  ＳＶごとに、ＲＡＴ動作イベントが生じたときに前記ＧＮＳＳ  ＳＶから受信された前記ＧＮＳＳ信号内に存在する干渉の量を示す、
前記ＧＮＳＳ受信機の前記動作に対する前記影響が前記所定の閾値を超えるという前記決定に基づいて、前記動作イベントに対応するデータの少なくとも第１の部分を送信するために、前記第１のトランシーバに、第２のＲＡＴを選択すること、前記１つ以上のパラメータを変更すること、またはそれらの組み合わせを実行するよう指示することと、
を備える、方法。
【請求項２】
前記選択することは、
前記第１のトランシーバ上で、前記第１のＲＡＴに対応する動作の第１のモードから前記第２のＲＡＴに対応する動作の第２のモードに切り替えることを備える、請求項１に記載の方法。
【請求項３】
第２のトランシーバに、前記動作イベントに対応する前記データの少なくとも第２の部分を送信するために前記第２のＲＡＴに従って動作するよう指示することをさらに備える、請求項１に記載の方法。
【請求項４】
前記第１のＲＡＴおよび前記第２のＲＡＴは、共通のアクセス技術を共有するが、異なる動作周波数を利用する、または、
前記ＧＮＳＳ受信機は、前記動作イベントの少なくとも一部分の間に動作する、請求項１に記載の方法。
【請求項５】
前記１つ以上のパラメータは、前記第１のトランシーバと前記１つ以上のトランシーバのうちの第２のトランシーバとの同時動作に対応し、前記第２のトランシーバは、第３のＲＡＴに従って動作し、前記ＧＮＳＳ受信機の前記動作に対する前記影響は、前記第１のＲＡＴに従う前記第１のトランシーバによって送信される信号と、前記第３のＲＡＴに従う前記第２のトランシーバによって送信される信号との間の相互変調によって引き起こされる干渉を含む、請求項１に記載の方法。
【請求項６】
前記動作イベントは、今後スケジューリングされる動作イベントであり、前記１つ以上のパラメータを取得することは、
所定のポリシーに基づいて前記１つ以上のパラメータを決定することを備える、または、
前記動作イベントは、現在の動作イベントであり、前記１つ以上のパラメータを取得することは、
前記動作イベントの間に前記１つ以上のパラメータを測定することを備える、請求項１に記載の方法。
【請求項７】
前記１つ以上のパラメータを取得することは、
前記１つ以上のパラメータの測定のレポートを受信することを備える、請求項１に記載の方法。
【請求項８】
前記１つ以上のパラメータについての１つ以上の更新値を決定することと、
前記第１のトランシーバに、来たるべき動作イベントにおいて前記１つ以上のパラメータについての前記更新値を使用するよう指示することと
をさらに備える、請求項１に記載の方法。
【請求項９】
前記第１のＲＡＴは、第１のタイプのワイヤレスネットワークに対応し、前記第２のＲＡＴは、第２のタイプのワイヤレスネットワークに対応し、好ましくは、
前記第１のタイプのワイヤレスネットワークは、ワイヤレスワイドエリアネットワーク（ＷＷＡＮ）を備え、前記第２のタイプのワイヤレスネットワークは、ワイヤレスローカルエリアネットワーク（ＷＬＡＮ）を備える、請求項１に記載の方法。
【請求項１０】
前記第２のＲＡＴは、ピアツーピア通信に対応する、請求項１に記載の方法。
【請求項１１】
第１のアプリケーションに対応する前記データの前記第１の部分は、前記第２のＲＡＴにオフロードされ、その一方で第２のアプリケーションに対応する前記データの第２の部分は、前記第１のＲＡＴを使用して送信される、請求項１に記載の方法。
【請求項１２】
前記干渉データ構造は、１つ以上のＲＡＴに従う信号の相互変調によって引き起こされる干渉、送信スペクトル流出からの広帯域スプリアス雑音によって引き起こされる干渉、結合機構からの連続波形スパーまたはジャマー、または相互ミキシングによる局部発振器スパーに関連付けられたエントリを含む、請求項１に記載の方法。
【請求項１３】
前記干渉データ構造は、前記ＧＮＳＳ受信機によって使用されるＧＮＳＳ  ＳＶごとに個々の表を含む、または、
前記干渉データ構造は、前記ＧＮＳＳ受信機によって維持される、請求項１に記載の方法。
【請求項１４】
１つ以上のトランシーバと全地球的航法衛星システム（ＧＮＳＳ）受信機の共存を管理するための装置であって、
動作イベントに対応して動作する前記１つ以上のトランシーバおよび第１の無線アクセス技術（ＲＡＴ）に従って動作する前記１つ以上のトランシーバのうちの第１のトランシーバに関連付けられた１つ以上のパラメータを取得するための手段と、ここにおいて、前記第１のトランシーバは、１つ以上のＲＡＴに従って動作することができる、
前記１つ以上のパラメータおよび干渉データ構造に基づいて、前記第１のＲＡＴに従う前記第１のトランシーバの前記動作が、前記ＧＮＳＳ受信機の動作に対する影響に関連付けられ、および前記影響が所定の閾値を超えると決定するための手段と、ここにおいて、前記干渉データ構造は、前記ＧＮＳＳ受信機がＧＮＳＳ信号を受信する１つ以上のＧＮＳＳ宇宙飛行体（ＳＶ）のＧＮＳＳ  ＳＶごとに、ＲＡＴ動作イベントが生じたときに前記ＧＮＳＳ  ＳＶから受信された前記ＧＮＳＳ信号内に存在する干渉の量を示す、
前記ＧＮＳＳ受信機の前記動作に対する前記影響が前記所定の閾値を超えるという前記決定に基づいて、前記動作イベントに対応するデータの少なくとも第１の部分を送信するために、前記第１のトランシーバに、第２のＲＡＴを選択すること、前記１つ以上のパラメータを変更すること、またはそれらの組み合わせを実行するよう指示するための手段と
を備える、装置。
【請求項１５】
１つ以上のトランシーバと全地球的航法衛星システム（ＧＮＳＳ）受信機の共存を管理するための非一時的なプロセッサ可読媒体であって、請求項１〜１３のいずれか一項の方法を実行することを１つ以上のプロセッサに行わせるように構成されたプロセッサ可読命令を備える、非一時的なプロセッサ可読媒体。
【手続補正２】
【補正対象書類名】明細書
【補正対象項目名】００９６
【補正方法】変更
【補正の内容】
【００９６】
[00105]  いくつかの例となる構成が説明されたが、本開示の主旨から逸脱することなく、様々な修正、代替的な構成体、および等価物が使用され得る。例えば、上記の要素は、より大きいシステムのコンポーネントであり、ここで、他のルールは、本発明のアプリケーションよりも優先されるか、または、そうでなければ本発明のアプリケーションを修正し得る。また、上記要素が考慮される前、その間、その後に、多数のステップが行われ得る。
以下に、本願の出願当初の特許請求の範囲に記載された発明を付記する。
［Ｃ１］
１つ以上のトランシーバと全地球的航法衛星システム（ＧＮＳＳ）受信機の共存を管理するための方法であって、
動作イベントに対応し、第１の無線アクセス技術（ＲＡＴ）に従って動作する前記１つ以上のトランシーバのうちの第１のトランシーバに関連付けられた１つ以上のパラメータを取得することと、ここにおいて、前記第１のトランシーバは、１つ以上のＲＡＴに従って動作することができる、
前記１つ以上のパラメータが前記ＧＮＳＳ受信機の動作に影響を与え、所定の閾値を超えると決定することと、
前記１つ以上のパラメータが前記ＧＮＳＳ受信機の前記動作に影響を与え、前記所定の閾値を超えるという前記決定に基づいて、前記動作イベントに対応するデータの少なくとも第１の部分を送信するために、前記第１のトランシーバに、第２のＲＡＴを選択すること、前記１つ以上のパラメータを変更すること、またはそれらの任意の組み合わせのうちの少なくとも１つを実行するよう指示することと、
を備える、方法。
［Ｃ２］
前記選択することは、
前記第１のトランシーバ上で、前記第１のＲＡＴに対応する動作の第１のモードから前記第２のＲＡＴに対応する動作の第２のモードに切り替えることを備える、Ｃ１に記載の方法。
［Ｃ３］
第２のトランシーバに、前記動作イベントに対応する前記データの少なくとも第２の部分を送信するために前記第２のＲＡＴに従って動作するよう指示することをさらに備える、Ｃ１に記載の方法。
［Ｃ４］
前記第１のＲＡＴおよび前記第２のＲＡＴは、共通のアクセス技術を共有するが、異なる動作周波数を利用する、Ｃ１に記載の方法。
［Ｃ５］
前記ＧＮＳＳ受信機は、前記動作イベントの少なくとも一部分の間に動作する、Ｃ１に記載の方法。
［Ｃ６］
前記１つ以上のパラメータは、前記第１のトランシーバと前記１つ以上のトランシーバのうちの別のトランシーバとの同時動作に対応し、前記別のトランシーバは、第３のＲＡＴに従って動作する、Ｃ１に記載の方法。
［Ｃ７］
前記動作イベントは、今後スケジューリングされる動作イベントであり、前記１つ以上のパラメータを取得することは、
所定のポリシーに基づいて前記１つ以上のパラメータを決定することを備える、Ｃ１に記載の方法。
［Ｃ８］
前記動作イベントは、現在の動作イベントであり、前記１つ以上のパラメータを取得することは、
前記動作イベントの間に前記１つ以上のパラメータを測定することを備える、Ｃ１に記載の方法。
［Ｃ９］
前記１つ以上のパラメータを取得することは、
前記１つ以上のパラメータの測定のレポートを受信することを備える、Ｃ１に記載の方法。
［Ｃ１０］
前記１つ以上のパラメータについての１つ以上の更新値を決定することと、
前記第１のトランシーバに、来たるべき動作イベントにおいて前記１つ以上のパラメータについての前記更新値を使用するよう指示することと
をさらに備える、Ｃ１に記載の方法。
［Ｃ１１］
前記第１のＲＡＴは、第１のタイプのワイヤレスネットワークに対応し、前記第２のＲＡＴは、第２のタイプのワイヤレスネットワークに対応する、Ｃ１に記載の方法。
［Ｃ１２］
前記第１のタイプのワイヤレスネットワークは、ワイヤレスワイドエリアネットワーク（ＷＷＡＮ）を備え、前記第２のタイプのワイヤレスネットワークは、ワイヤレスローカルエリアネットワーク（ＷＬＡＮ）を備える、Ｃ１１に記載の方法。
［Ｃ１３］
前記第２のＲＡＴは、ピアツーピア通信に対応する、Ｃ１に記載の方法。
［Ｃ１４］
第１のアプリケーションに対応する前記データの前記第１の部分は、前記第２のＲＡＴにオフロードされ、その一方で第２のアプリケーションに対応する前記データの第２の部分は、前記第１のＲＡＴを使用して送信される、Ｃ１に記載の方法。
［Ｃ１５］
１つ以上のトランシーバと全地球的航法衛星システム（ＧＮＳＳ）受信機の共存を管理するための装置であって、
前記ＧＮＳＳ受信機と、
前記１つ以上のトランシーバと、
メモリと、
前記ＧＮＳＳ受信機、前記１つ以上のトランシーバ、および前記メモリに結合された少なくとも１つのプロセッサとを備え、前記少なくとも１つのプロセッサは、
動作イベントに対応し、第１の無線アクセス技術（ＲＡＴ）に従って動作する前記１つ以上のトランシーバのうちの第１のトランシーバに関連付けられた１つ以上のパラメータを取得することと、ここにおいて、前記第１のトランシーバは、１つ以上のＲＡＴに従って動作することができる、
前記１つ以上のパラメータが前記ＧＮＳＳ受信機の動作に影響を与え、所定の閾値を超えると決定することと、
前記１つ以上のパラメータが前記ＧＮＳＳ受信機の前記動作に影響を与え、前記所定の閾値を超えるという前記決定に基づいて、前記動作イベントに対応するデータの少なくとも第１の部分を送信するために、前記第１のトランシーバに、第２のＲＡＴを選択すること、前記１つ以上のパラメータを変更すること、またはそれらの任意の組み合わせのうちの少なくとも１つを実行するよう指示することと
を行うように構成される、装置。
［Ｃ１６］
前記少なくとも１つのプロセッサは、前記第１のトランシーバに、前記第１のＲＡＴに対応する動作の第１のモードから前記第２のＲＡＴに対応する動作の第２のモードに切り替えるよう指示することを行うようにさらに構成される、Ｃ１５に記載の装置。
［Ｃ１７］
前記少なくとも１つのプロセッサは、
第２のトランシーバに、前記動作イベントに対応する前記データの少なくとも第２の部分を送信するために前記第２のＲＡＴに従って動作するよう指示することを行うようにさらに構成される、Ｃ１５に記載の装置。
［Ｃ１８］
前記第１のＲＡＴおよび前記第２のＲＡＴは、共通のアクセス技術を共有するが、異なる動作周波数を利用する、Ｃ１５に記載の装置。
［Ｃ１９］
前記ＧＮＳＳ受信機は、前記動作イベントの少なくとも一部分の間に動作する、Ｃ１５に記載の装置。
［Ｃ２０］
前記１つ以上のパラメータは、前記第１のトランシーバと前記１つ以上のトランシーバのうちの別のトランシーバとの同時動作に対応し、前記別のトランシーバは、第３のＲＡＴに従って動作する、Ｃ１５に記載の装置。
［Ｃ２１］
前記動作イベントは、今後スケジューリングされる動作イベントであり、前記少なくとも１つプロセッサは、所定のポリシーに基づいて前記１つ以上のパラメータを決定するようにさらに構成される、Ｃ１５に記載の装置。
［Ｃ２２］
前記動作イベントは、現在の動作イベントであり、前記少なくとも１つプロセッサは、前記動作イベントの間に前記１つ以上のパラメータを測定するようにさらに構成される、Ｃ１５に記載の装置。
［Ｃ２３］
前記少なくとも１つのプロセッサは、
前記１つ以上のパラメータの測定のレポートを受信するようにさらに構成される、Ｃ１５に記載の装置。
［Ｃ２４］
前記少なくとも１つのプロセッサは、
前記１つ以上のパラメータについての１つ以上の更新値を決定することと、
前記第１のトランシーバに、来たるべき動作イベントにおいて前記１つ以上のパラメータについての前記更新値を使用するよう指示することと
を行うようにさらに構成される、Ｃ１５に記載の装置。
［Ｃ２５］
前記第１のＲＡＴは、第１のタイプのワイヤレスネットワークに対応し、前記第２のＲＡＴは、第２のタイプのワイヤレスネットワークに対応する、Ｃ１５に記載の装置。
［Ｃ２６］
前記第１のタイプのワイヤレスネットワークは、ワイヤレスワイドエリアネットワーク（ＷＷＡＮ）を備え、前記第２のタイプのワイヤレスネットワークは、ワイヤレスローカルエリアネットワーク（ＷＬＡＮ）を備える、Ｃ２５に記載の装置。
［Ｃ２７］
前記第２のＲＡＴは、ピアツーピア通信に対応する、Ｃ１５に記載の装置。
［Ｃ２８］
第１のアプリケーションに対応する前記データの前記第１の部分は、前記第２のＲＡＴにオフロードされ、その一方で第２のアプリケーションに対応する前記データの第２の部分は、前記第１のＲＡＴを使用して送信される、Ｃ１５に記載の装置。
［Ｃ２９］
１つ以上のトランシーバと全地球的航法衛星システム（ＧＮＳＳ）受信機の共存を管理するための装置であって、
動作イベントに対応し、第１の無線アクセス技術（ＲＡＴ）に従って動作する前記１つ以上のトランシーバのうちの第１のトランシーバに関連付けられた１つ以上のパラメータを取得するための手段と、ここにおいて、前記第１のトランシーバは、１つ以上のＲＡＴに従って動作することができる、
前記１つ以上のパラメータが前記ＧＮＳＳ受信機の動作に影響を与え、所定の閾値を超えると決定するための手段と、
前記１つ以上のパラメータが前記ＧＮＳＳ受信機の前記動作に影響を与え、前記所定の閾値を超えるという前記決定に基づいて、前記動作イベントに対応するデータの少なくとも第１の部分を送信するために、前記第１のトランシーバに、第２のＲＡＴを選択すること、前記１つ以上のパラメータを変更すること、またはそれらの任意の組み合わせのうちの少なくとも１つを実行するよう指示するための手段と
を備える、装置。
［Ｃ３０］
１つ以上のトランシーバと全地球的航法衛星システム（ＧＮＳＳ）受信機の共存を管理するための非一時的なプロセッサ可読媒体であって、
動作イベントに対応し、第１の無線アクセス技術（ＲＡＴ）に従って動作する前記１つ以上のトランシーバのうちの第１のトランシーバに関連付けられた１つ以上のパラメータを取得することと、ここにおいて、前記第１のトランシーバは、１つ以上のＲＡＴに従って動作することができる、
前記１つ以上のパラメータが前記ＧＮＳＳ受信機の動作に影響を与え、所定の閾値を超えると決定することと、
前記１つ以上のパラメータが前記ＧＮＳＳ受信機の前記動作に影響を与え、前記所定の閾値を超えるという前記決定に基づいて、前記動作イベントに対応するデータの少なくとも第１の部分を送信するために、前記第１のトランシーバに、第２のＲＡＴを選択すること、前記１つ以上のパラメータを変更すること、またはそれらの任意の組み合わせのうちの少なくとも１つを実行するよう指示することと
を１つ以上のプロセッサに行わせるように構成されたプロセッサ可読命令を備える、非一時的なプロセッサ可読媒体。